(57)【要約】      （修正有）【課題】音声（音）入力された音源を重ねることなく、左右の耳に左右交互に振り分け、振り分け時に発生するノイズ消去を行い、振り分けた音声（音）を聴かせる音声再生方法及び音声（音）再生装置を提供する。【解決手段】入力された音声（音）信号を何ら加工することなく、所定時間毎に所定音声（音）信号をカットし、その所定音声（音）信号を左右に振り分け、振り分け時にノイズ消去を行い、左右交互に聴かせることで、聴く者は脳内で左右に振り分け分割された音声（音）信号を、言葉として組立、理解することが脳の活性化に効果的であることを特徴とする音声（音）再生装置である。【選択図】図２
2010028161.tif 000002
【特許請求の範囲】
【請求項１】
人は音声（音）を聴く時には、主として右の耳で聴いており、脳の左半球（左脳）に伝達する。左の耳で聴いた音声（音）は脳の右半球（右脳）に伝達する。その音声（音）を集合し、言葉として理解する、その主たる役割を左脳が行っている。
音声（音）を所定時間で分割し、それを左右の耳に振り分け、左右交互に聴かせる方法で、振り分け時のノイズ消去に特徴のある振り分け方式で、左脳、右脳がバランス良く言語中枢を働かせることで、脳を鍛えることを特徴とする音声（音）再生方法である。
【請求項２】
請求項１に記載の音声（音）再生方法で実施するための音声（音）再生装置であって、入力部（２０１）、合成部（２０２）、振り分け部（２０３）、フィルター部（２０４）、出力部（２０５）、を振り分け時間設定部（２０６）を制御部（２０７）で制御する。
音声（音）信号を所定時間毎に振り分け部で音声（音）を左右に振り分け、フィルター部でノイズカットを行い、所定音声（音）信号を左右の耳に左右交互に聴かせるための制御部を備え、出力部から出力し、振り分けのノイズ消去を特徴とする音声（音）再生装置。
【発明の詳細な説明】
【技術分野】
【０００１】
本発明は、音声（音）再生方法及びそれを実施するための音声（音）再生装置に係る。
より詳しくは、制御部（２０７）を用いて、再生する該所定音声（音）信号が入力部（２０１）を通過後、合成部（２０２）でステレオ音声（音）であればモノラル音声（音）に変換し、（２０６）で設定された時間ごとにカットし、振り分け部（２０３）で左右交互に振り分け、フィルター部（２０４）でノイズカットし、出力部（２０５）から出力させるための制御部（２０７）を備えることを特徴とする音声（音）再生方法及びそれを実施するための装置に関する。
【背景技術】
【０００２】
従来音声処理の分野では、より忠実により聴き取り易いものに再現できることが望まれて来ました。一方、音声処理加工技術による、脳の活性化が近年の課題であります。その一例として早聴き等が話題となっているものの、聴く者に相当の負荷がかかってしまうという課題も抱えている。
【０００３】
これらの問題を解決する方法として、デジタルシグナルプロセッサー（ＤＳＰ）を用いて、音声（音）信号について所定音声（音）信号をカットし、尚、聴き取りやすい制御方法もある。
また、音声（音）信号を所定時間でカットし、左右の耳に重ねて振り分ける制御方法もある。
【０００４】
本発明では、具体的に音声（音）信号を、所定時間でカットし、重ねることなく、左右交互に振り分け、振り分け時のノイズを消去させて聴かせることで、聴く者に負荷をかけることなく音声（音）信号を脳の活性化に効果的に利用できることを可能にした。
【０００５】
前述した方法（０００２）は、聴く者に負荷をかけることになり、相当集中しなければならないので長時間聴くことは大変である。
そこで、軽負荷で長時間楽しみながら出来る脳活性化に関する方法及び装置が模索されていた。
【発明の開示】
【発明が解決しようとする課題】
【０００６】
そこで、本発明は、音声（音）信号を左右に振り分け、振り分け時のノイズを消去させ、軽負荷で聴く者に長時間楽しみながら聴くことが可能な音声（音）再生方法を提供する事を課題としている。
【課題を解決するための手段】
【０００７】
本発明の音声（音）再生方法は、制御部（２０７）を用いて、再生する所定音声（音）信号が入力部（２０１）を通過後、合成部（２０２）でステレオ音声（音）であればモノラル音声（音）に変換し、（２０６）で設定された時間ごとにカットし、振り分け部（２０３）で左右交互に振り分け、フィルター部（２０４）でノイズカットを行い、出力部（２０５）から出力させるための制御部（２０７）を備えていることを特徴としている。
【発明の効果】
【０００８】
本発明は音声（音）再生について、所定時間毎に、所定音声（音）信号をカットして、該所定音声（音）信号を左右の耳に左右交互に聴かせる。
左右の耳に同じ音が同時に聴こえると、頭の中心で聴き取ることになるが、本発明は強制的に左右の耳から左右交互に聴かせることで、右脳の言語中枢、左脳の言語中枢を左右交互に強制的に働かせることになり、脳は鍛えられる。
【発明を実施するための最良の形態】
【０００９】
一般的に人間は、会話、スピーカーからの音声（音）を聴いた場合、主として右の耳で聴いて、脳の左半球（左脳）に伝達する。左の耳で聴いた音声（音）は脳の右半球（右脳）に伝達する。その音声（音）を集合し、言葉として理解する。その主たる役割を左脳が行っている。
これらを考えると、左の耳から聴かせることが大切であります。そこで、左右交互に振り分けた音声（音）信号を強制的にヘッドホン、イヤホン、スピーカー等で聴かせることが必要となる。
【実施例１】
【００１０】
更に、所定時間で振り分けられた音声（音）信号は、右脳、左脳の言語中枢を活発に働かせ、言葉の意味も理解しようとする。聴いている者も本システムに組み込まれており、音声（音）信号を理解する主要な要素を持っている。
【００１１】
本発明の音声（音）再生方法では、コンピューター等の制御手段を用いて、再生する音声（音）信号を振り分け時間設定部で所定時間毎にカットし、振り分け部で左右交互に振り分け、フィルター部でノイズカットを行い出力する。
【００１２】
そして、聴いている者は左右の耳から左右交互に入ってきた音声（音）信号を聞いている者の脳内で統合、理解する。
【００１３】
また、本発明の音声（音）再生装置は所定音声（音）が入力されるとともに、入力部（２０１）を通過後、合成部（２０２）でステレオ音声（音）であればモノラル音声（音）に変換し、（２０６）で設定された時間ごとにカットし、振り分け部（２０３）にて左右交互に振り分け、該所定音声（音）信号のノイズをフィルター部（２０４）でカットして出力するため（２０５）の制御手段（２０７）を備えている。
【００１４】
本発明の音声（音）再生方法の実施について図面を参照して説明すると、図１は本実施例の音声（音）再生方法を説明するための概念図であり、（Ａ）は再生する音声（音）信号を表しており、（ｔ。）はその音声（音）信号をカットするための所定時間である。
【００１５】
本実施例の音声（音）再生方法は、まず前記所定時間によって音声（音）信号をカットし、振り分けたものが、図１の（Ｂ）である。（Ｂ）は（Ａ）を振り分けてあるため、右の耳からは音声（音）信号の半分が聴こえている。
【００１６】
前記の所定時間によって音声（音）信号をカットし、振り分けたものが、図１の（Ｃ）である。  [００１５]  で行われた音声（音）信号の残り半分が反対の左耳から聴こえている。（Ｃ）は（Ａ）を振り分けてあるため、左の耳からは音声（音）信号の半分が聴こえている。
【００１７】
そして図３は、この右の耳への音声（音）信号（ｂ）と、左の耳への音声（音）信号（ｃ）を別々の、ヘッドホン、イヤホン、スピーカー等から出力し聴き取る。
【００１８】
即ち、聴いている者は、音声（音）信号を左右に振り分けることで、図１に示すように、左右の耳から交互に聴くことで、音声（音）信号（Ａ）を理解しようと努力する。
【００１９】
またフィルター部を備えているため、（所定時間）で、音声（音）信号をカットすることで生ずる高周波成分をフィルター部でカットするため、ノイズとして聴こえない。
【００２０】
本発明の音声（音）信号を所定時間でカットする場合の範囲は任意でも良い。
【００２１】
なお、前述の説明において、音声（音）信号を左右に振り分けるのであるが、左右どちらでもよく。スタート時点を一致させる必要はない。
【００２２】
ヘッドホン、イヤホン、スピーカー等を出力とする装置（カセットテープレコーダー、ＣＤプレーヤー、ＩＣ記憶プレーヤー、テレビ、ラジオ）等と接続することで音声（音）信号を得られれば、その音声（音）信号を左右交互に振り分け、左右の耳から強制的に聴かせる事で、脳の活性化に有効的である。
【００２３】
尚、図２は本実施例の原理を説明するための図であり、各前記音源プレーヤーからの音声（音）信号が入力部（２０１）を通過後、合成部（２０２）でステレオ音声（音）であればモノラル音声（音）に変換し、それを入力される。ここでは各音声（音）信号（右側、左側共に）は（２０６）で設定された時間ごとにカットされる。
分割された音声（音）信号は、振り分け部（２０３）で左右交互に振り分けられる。分割された音声（音）信号の分割部分には高周波成分のノイズが発生しているため、フィルター部（２０４）でノイズカットを行い、ヘッドホン、イヤホン、スピーカー等に出力部（２０５）から出力する。これら全体を制御する制御部（２０７）を備えている。
【００２４】
図３は詳細にブロック図を表したものである。合成部（２０２）でモノラル化された音声（音）信号は、右耳への音声（音）信号と左耳への音声（音）信号の左右に振り分けるタイミングを同期を取ることで、音声（音）信号が左右に強制的に大きく振り動くことができる。
【００２５】
次に、前述した音声（音）再生方法を実施するための音声（音）再生装置の実施例について、図３を参照して説明すると、図２は本実施例の音声（音）再生装置を組み込んだ装置全体のブロック図であり、図３が本音声（音）再生装置である。この音声（音）再生装置には、コンピューター等の制御手段（２０７）を具備している。
【００２６】
振り分け時間設定は、音声（音）信号（コンテンツ）の種類によって所定時間は変更できるようになっている。聴く者の状況にあわせて自由に変更できるようになっている。                   
【００２７】
フィルター部は振り分け所定時間によって生ずる分割部分の高周波成分をノイズとして認識し音声（音）信号に影響与えることなく、そのノイズ成分だけをカットすることが出来る。
【００２８】
音声（音）信号出力は、入力部の音質を維持するための増幅器等が具備されている。また、出力部のも増幅器が具備されている。
【産業上の利用可能性】
【００２９】
本発明の音声（音）再生方法及びそれを実施するための音声（音）再生装置は以上説明したような形態で実施され、以下に記載するような効果を奏でる。
【００３０】
本発明によれば、再生する音声（音）信号について、所定時間毎に振り分け、聴く者に強制的に音声（音）信号を左右交互に聴かせます。聴く者はその左右の耳に振り分けられた音声（音）信号を脳内で組み立て、理解することが脳活性化に効果的である。
【００３１】
本発明を用いることにより、既存の前記音源プレーヤーからの音声（音）信号をそのまま利用して、本発明の音声（音）再生装置と接続することにより、音源をなんら加工することなく、左右の耳に振り分けられた音声（音）信号を聴き、脳内でその音声（音）信号を組立、理解することが、脳の活性化に効果的である。
【００３２】
本発明の左右交互に音声（音）信号が振り分けられた音声（音）再生装置は、時間的な音声（音）信号の重ね合わせはなく、左右交互に振られた音声（音）信号を組み合わせて聴くことで、軽い負荷だけなので長時間楽しむことが出来、なお脳の活性化に効果的である。
【図面の簡単な説明】
【００３３】
【図１】本発明の音声（音）再生方法の実施例を説明するための概念図である。            また原理を説明するための図であり、また時系列から見た音声（音）の振り            分け方の図でもある。
【図２】本発明の音声（音）再生装置の実施例を説明するためのブロック図である。
【図３】本発明の音声（音）再生装置の実施例を説明するための詳しいブロック図で          ある。
【符号の説明】
【００３４】
１、音声（音）信号入力（原音）                （Ａ）
２、振り分けられ右の耳から入る音声（音）信号  （Ｂ）
３、振り分けられ左の耳から入る音声（音）信号  （Ｃ）
４、振り分けられる所定時間                    （ｔ。）
５、右に振り分けられた音声（音）信号出力      （ｂ ）  
６、左に振り分けられた音声（音）信号出力      （ｃ ）
【図１】
2010028161.tif 000003
【図２】
2010028161.tif 000004
【図３】
2010028161.tif 000005